【手続補正書】
【提出日】平成22年1月18日(2010.1.18)
【手続補正１】
【補正対象書類名】特許請求の範囲
【補正対象項目名】請求項１
【補正方法】変更
【補正の内容】
【請求項１】
光空間を伝送する光ビームを用いてデータ通信を行う光空間伝送システムであって、
光ビームを光空間に出射する少なくとも１つの発光部を備える送信端末と、
光空間に出射された光ビームを受光する少なくとも１つの受光部を備える受信端末と、
前記送信端末及び前記受信端末を装着し、前記少なくとも１つの発光部と前記少なくとも１つの受光部との位置関係を固定する端末固定用補助具とで構成され、
前記少なくとも１つの発光部及び前記少なくとも１つの受光部は、前記送信端末及び前記受信端末が前記端末固定用補助具に装着された状態で、前記少なくとも１つの発光部から出射された光ビームが前記少なくとも１つの受光部で反射して前記少なくとも１つの発光部のいずれにも戻らない位置に設けられることを特徴とする、光空間伝送システム。
【手続補正２】
【補正対象書類名】特許請求の範囲
【補正対象項目名】請求項１０
【補正方法】変更
【補正の内容】
【請求項１０】
前記少なくとも１つの発光部は、任意の２つの発光部の間隔をｄ（ｄ＞０．１５ｍｍ）とした場合、当該２つの発光部から各々が出射する光ビームの光軸交点までの距離Ｌは、次式（３）で与えられることを特徴とする、請求項１に記載の光空間伝送システム。
Ｌ＜（１００×ｄ）／（７＋ｄ）    ‥‥  （３）
【手続補正３】
【補正対象書類名】特許請求の範囲
【補正対象項目名】請求項１１
【補正方法】変更
【補正の内容】
【請求項１１】
光空間を伝送する光ビームを用いてデータ通信を行う光空間伝送システムであって、
光空間に出射された光ビームを受光する少なくとも１つの受光部を備える受信端末と、
光ビームを光空間に出射する少なくとも１つの発光部と、前記受信端末を装着し、前記少なくとも１つの発光部と前記少なくとも１つの受光部との位置関係を固定する端末固定用補助具とを備える送信端末とで構成され、
前記少なくとも１つの発光部及び前記少なくとも１つの受光部は、前記受信端末が前記端末固定用補助具に装着された状態で、前記少なくとも１つの発光部から出射された光ビームが前記少なくとも１つの受光部で反射して前記少なくとも１つの発光部のいずれにも戻らない位置に設けられることを特徴とする、光空間伝送システム。
【手続補正４】
【補正対象書類名】特許請求の範囲
【補正対象項目名】請求項１２
【補正方法】変更
【補正の内容】
【請求項１２】
光空間を伝送する光ビームを用いてデータ通信を行う光空間伝送システムであって、
光ビームを光空間に出射する少なくとも１つの発光部を備える送信端末と、
光空間に出射された光ビームを受光する少なくとも１つの受光部と、前記送信端末を装着し、前記少なくとも１つの発光部と前記少なくとも１つの受光部との位置関係を固定する端末固定用補助具とを備える受信端末とで構成され、
前記少なくとも１つの発光部及び前記少なくとも１つの受光部は、前記送信端末が前記端末固定用補助具に装着された状態で、前記少なくとも１つの発光部から出射された光ビームが前記少なくとも１つの受光部で反射して前記少なくとも１つの発光部のいずれにも戻らない位置に設けられることを特徴とする、光空間伝送システム。
【手続補正５】
【補正対象書類名】明細書
【補正対象項目名】００１０
【補正方法】変更
【補正の内容】
【００１０】
図１７において、親機４１の光送信部４４は、送信すべき信号Ｐに応じてＬＥＤ５４及び５５から異なる発光スペクトラムの送信光ＬＰａ及びＬＰｂを同相送信する。子機４２の光受信部４６は、ＰＤ６７で送信光ＬＰａ及びＬＰｂを光電変換し、演算増幅器６８で信号Ｐのみを取り出す。また、子機４２の光送信部４５は、送信すべき信号Ｃに応じてＬＥＤ６１及び６３から異なる発光スペクトラムの送信光ビーム（−ＬＣｂ、ＬＣａ）を差動送信する。親機４１の光受信部４３は、ＰＤ５２及び５３により送信光ビーム（−ＬＣｂ、ＬＣａ）を発光スペクトラムに応じて光電変換し、演算増幅器５１で信号Ｃのみを取り出す。
【手続補正６】
【補正対象書類名】明細書
【補正対象項目名】００１３
【補正方法】変更
【補正の内容】
【００１３】
すなわち、この演算結果からわかるように、当該演算増幅器５１から出力されて端子５０から後段の信号処理部に送られる信号は、外乱光ＬＮに起因するノイズ成分（Ｎ）と、反射物４７による反射光に起因するノイズ成分（Ｐ）とが、完全に除去された信号（２Ｃ）のみとなる。
【特許文献１】特開平８−２３７２０４号公報（第８頁、第１図）
【特許文献２】特開平２００２−１１１５８５号公報（第１０頁、第１図）
【非特許文献１】「光の鉛筆」鶴田匡夫著、新技術コミュニケーション、１９８９年６月２０日第７版発行（第１６７頁）
【手続補正７】
【補正対象書類名】明細書
【補正対象項目名】００２２
【補正方法】変更
【補正の内容】
【００２２】
好ましくは、受信端末が、光ビームを光空間に出射する第２の少なくとも１つの発光部をさらに備え、送信端末が、受信端末から出射された光ビームを受光する第２の少なくとも１つの受光部をさらに備えてもよい。この場合も同様に、第２の少なくとも１つの発光部及び第２の少なくとも１つの受光部は、送信端末及び受信端末が端末固定用補助具に装着された状態で、第２の少なくとも１つの発光部から出射された光ビームが第２の少なくとも１つの受光部で反射して第２の少なくとも１つの発光部のいずれにも戻らない位置に設けるとよい。
【手続補正８】
【補正対象書類名】明細書
【補正対象項目名】００２３
【補正方法】変更
【補正の内容】
【００２３】
さらに、少なくとも１つの発光部が出射する複数の光ビームの少なくとも２つは、少なくとも１つの受光部のいずれか１つに集光されてもよいし、少なくとも１つの発光部は、任意の２つの発光部の間隔をｄ（ｄ＞０．１５ｍｍ）とした場合に、この２つの発光部から各々が出射する光ビームの光軸交点までの距離Ｌを、実施形態で説明する式（３）で与えられることが好ましい。
【手続補正９】
【補正対象書類名】明細書
【補正対象項目名】００３３
【補正方法】変更
【補正の内容】
【００３３】
例えば、図４に示す光空間伝送システムのように、端末固定用補助具７０によって、送信端末１０の光送信部１１と受信端末２０の光受信部２１とが平行に向かい合う場合を考える。この場合、送受信の対となる発光部１３と受光部２３との垂直方向距離を“Ｌ”と、発光部１３と受光部２３との水平方向間隔を“Ｗ”と、光ビームの指向角を“θ”とすると、送信端末１０から受信端末２０へ向かうの垂直方向に対する発光部１３の光ビーム照射角度“α”は、次式（１）で求めることができる。
α＞ｔａｎ-1（Ｗ／２Ｌ）＋θ    ‥‥  （１）
【手続補正１０】
【補正対象書類名】明細書
【補正対象項目名】００５８
【補正方法】変更
【補正の内容】
【００５８】
図１４は、波長フィルタ２５ａ及び２５ｂの効果を説明するための図である。図１４では、発光部１３ａから出射された指向角θの光ビームが、レンズ（図示せず）で集光されて、対し、角度αで受光部２３ａに入射された場合を示している。この時、受光部２３ａに設けられた波長フィルタ２５ａには、角度θ1〜θ2までの偏差をもって、光ビームが入射される。
【手続補正１１】
【補正対象書類名】明細書
【補正対象項目名】００６３
【補正方法】変更
【補正の内容】
【００６３】
なお、上記実施形態は一例であって、発光部１３の数及び受光部２３の数は、自由に決定することができる。例えば、より広い通信エリアを確保するために、発光部１３の数を受光部２３の数より多くしてもよいし、受光した信号を合波してより大きな受信信号を得るために、受光部２３の数を発光部１３の数より多くしてもよい。
また、複数の発光部１３から送信されるデータ信号は、全て同じでもよいし、全て又は一部が異なっていてもよい。また、複数の発光部１３による光ビームの出射角度は、全て同じでもよいし、全て又は一部が異なっていてもよい。
さらに、送信端末１０側だけに光送信部１１を備え、受信端末２０側だけに光受信部２１を備えた構造を説明したが、送信端末１０にも光受信部２１を受信端末２０にも光送信部１１を備えることで、双方向通信を行うことも可能である。
【手続補正１２】
【補正対象書類名】明細書
【補正対象項目名】００６４
【補正方法】変更
【補正の内容】
【００６４】
また、図１及び図２で示した光空間伝送システムは一例であって、光送信部１１と光受信部２１との位置合わせをフールプルーフに行えるのであれば、他のシステム構成及び構造であってもよい。例えば、送信端末１０に、端末固定用補助具７０に相当する格納可能な突起物を設け、この突起物によって光送信部１１と光受信部２１との位置合わせを行ってもよい。
【手続補正１３】
【補正対象書類名】明細書
【補正対象項目名】００６６
【補正方法】変更
【補正の内容】
【００６６】
具体的には、２つの光源の間隔をｄ（ｄ＞０．１５ｍｍ）とした場合、２つの光源から各々が出射する光ビームの光軸交点までの距離Ｌは、次式（３）で設計することが好ましい（図１５）。
Ｌ＜（１００×ｄ）／（７＋ｄ）    ‥‥  （３）
この式（３）に従って、光パワーが最も集中する場所を光源から１０ｃｍ以内に設計し、その場所に受光部を配置する。これにより、受光部では、目に安全な条件の下で、複数光源からの光ビームパワーを軽減することなく、大きなまま得ることができる。